(57)【要約】【課題】水道料金軽減を目的とした、外部磁界を印加する不正使用に対し、対策を講じた水道メータを提供する。【解決手段】流量に正比例した回転数を発生する水車の回転数を、磁気センサにて検出する流量測定部１２０を有する水道メータにおいて、外部からの磁界を検出する磁気センサ１６０をさらに設け、当該磁気センサが外部からの磁界を検出した場合には、事前に設定した値である事前設定流量値を流量として計量値を表示するようにした。【選択図】  図１
2008224320.tif 000002
【特許請求の範囲】
【請求項１】
被測定系の使用水量を測定する流量測定手段と、
外部から印加される磁界を検出する磁気検出手段と、
前記磁気検出手段が磁界を検出しない場合には前記流量測定手段にて作成された流量に関するデータから計量値を算出し、
前記磁気検出手段が磁界を検出した場合には事前に設定された事前設定計量値から計量値を算出する計量値算出手段と、
前記計量値算出手段にて算出された計量値を表示する表示部と
を具備したことを特徴とする水道メータ。
【請求項２】
被測定系の使用水量を測定する流量測定手段と、
外部から印加される磁界を検出する磁気検出手段と、
前記磁気検出手段にて検出された磁界の継続時間を測定する外部磁界印加時間測定手段を具備し、
前記磁気検出手段が磁界を検出しない場合、および前記磁気検出手段が磁界を検出し、かつ、外部磁界印加時間測定手段にて測定された磁界の継続時間が事前に設定された磁界検出時間未満である場合には前記流量測定手段にて作成された流量に関するデータから計量値を算出し、
前記磁気検出手段が磁界を検出し、かつ、外部磁界印加時間測定手段にて測定された磁界の継続時間が事前に設定された磁界検出時間以上である場合には、事前に設定された事前設定計量値から計量値を算出する計量値算出手段と、
前記計量値算出手段にて算出された計量値を表示する表示部と
を具備したことを特徴とする水道メータ。
【請求項３】
前記計量値算出手段は計量値として積算流量、瞬時流量を算出し、
前記表示部は計量値として前記計量値算出手段にて算出された積算流量、瞬時流量を交互に表示し、
前記磁気検出手段が磁界を検出し、かつ、前記外部磁界印加時間測定手段にて測定された磁界の継続時間が事前に設定された磁界検出時間未満である場合には、積算流量、瞬時流量を入れ替えて表示部に表示させる表示切替手段
を具備したことを特徴とする請求項１乃至２のいずれか1項記載の水道メータ。
【請求項４】
前記外部磁界印加時間測定手段にて測定された磁界の継続時間を表示する表示部
を具備したことを特徴とする請求項１乃至３のいずれか1項記載の水道メータ。
【請求項５】
外部機器との通信を行う通信部とを具備し、
前記事前に設定された事前設定計量値は外部から通信にて設定されることを特徴とする請求項１乃至４のいずれか1項記載の水道メータ。
【請求項６】
前記通信部を介し、
前記事前に設定された磁界検出時間は外部機器から通信にて設定されることを特徴とする請求項５記載の水道メータ。
【発明の詳細な説明】
【技術分野】
【０００１】
本発明は被測定系の使用水量等を測定する水道メータに関する。
【背景技術】
【０００２】
従来より、一般家庭、事業所の使用水量を測定する水道メータが普及してきている。当
該計量器は、被測定系の使用水量を検出し信号を出力する使用水量検出手段と、使用水量検出手段にて出力された信号をデータに編集する制御部と、制御部にて編集されたデータを表示する表示部とを具備している。（例えば特許文献１）
【特許文献１】実開平５−２７６２５号公報（第４頁、図１）
【発明の開示】
【発明が解決しようとする課題】
【０００３】
従来より、一般家庭、事業所の使用水量を測定する水道メータが普及してきていること
は前述のとおりである。
【０００４】
水道メータの使用量検出手段は、水路を流れる水流の流量に正比例した回転数を発生する水車に磁石を設けておき、その水車の回転数を磁気センサにて検出し使用水量を算出する方式が用いられている。当該方式は磁気センサにて水車に設けられた磁石の磁界を検出するものであり、仮に外部から強い磁界が印加されると、水車に設けられた磁石の磁界が正確に検出されなくなってしまうという問題点があった。水道料金を軽減することを目的として、水車に設けられた磁石の磁界を正確に検出できないように外部から強い磁界が印加される場合があった。
【０００５】
本発明はこのような水道料金軽減を目的とした、外部磁界を印加する不正使用に対し、対策を講じた水道メータを提供することを目的とする。
【課題を解決するための手段】
【０００６】
上記目的を達成するために、本発明による水道メータは、被測定系の使用水量を測定する流量測定手段と、外部から印加される磁界を検出する磁気検出手段と、前記磁気検出手段
が磁界を検出しない場合には前記流量測定手段にて作成された流量に関するデータから計量値を算出し、前記磁気検出手段が磁界を検出した場合には事前に設定された事前設定計量値から計量値を算出する計量値算出手段と、前記計量値算出手段にて算出された計量値を表示する表示部とを具備したことを特徴とする。
【発明の効果】
【０００７】
本発明によれば、水道料金軽減を目的とした、外部磁界を印加する不正使用に対し、対策を講じた水道メータを提供することができる。
【発明を実施するための最良の形態】
【０００８】
以下、本発明の実施例を説明する。
【実施例１】
【０００９】
本発明による計量器の実施例１について図１を参照して説明する。
【００１０】
図１において、１００は水道メータ本体であり水道水を供給する水道管に接続される。
【００１１】
１１０は水路で、金属または樹脂からなるパイプ等により構成され、外部からの水道水を家庭内へ伝達する。
【００１２】
１２０は流量測定部で流量に正比例した回転数を発生する水車とその回転数を計数する計数回路等にて構成されており、水路１１０に流れる水道水の流量を測定し流量に関するデータである流量データを作成し出力している。前記水車は、水路に設けられ、当該水路を流れる流量に正比例した回転数を発生する。水車には磁石が取付けられており、その水車に取付けられた磁石の回転が磁気センサにて検出され、当該回転数が流量に換算される。
【００１３】
１３０はタイマ部で、水晶振動子を用いた時計回路等により構成されており、時間を計数し電気信号として出力する。
【００１４】
１４０は通信部で、有線または無線のインタフェース回路により構成されており、外部
からの通信電文を受信する。
【００１５】
１５０は表示部で、液晶表示器等により構成されており、計量部１２０にて作成された流量データをもとに編集された計量値である積算流量または瞬時流量を表示する。
【００１６】
１６０は磁気センサで、ホール素子またはリードスイッチ等により構成されており、外部からの磁界を検出し電気信号として出力する。
【００１７】
１７０は制御部で、マイクロコンピュータ等により構成されており、
流量測定部１２０にて作成された流量に関するデータである流量データを受信し、計量値である積算流量ならびに瞬時流量を算出し、記憶する。
【００１８】
また、制御部１７０は記憶している計量値である積算流量または瞬時流量を表示部１５０に表示させる。
【００１９】
さらに、制御部１７０は、計数時間にかかる電気信号を、タイマ部１３０から受信する。
【００２０】
制御部１７０は、外部からの通信電文を、通信部１４０を介し受信する。
【００２１】
また、制御部１７０は、電気信号を、外部からの磁界を検出した磁気センサ１６０から受信する。
【００２２】
次に、本実施例の動作について図２を参照しつつ説明する。図２は本実施例にかかる水道メータのプログラムの流れを表わすフロー図である。本プログラムは制御部１７０内の図示しないプログラムメモリ内に記憶され、制御部１７０の動作を制御している。
【００２３】
まず、制御部１７０は、磁気センサ１６０が、外部からの磁界を検出したかの判断を行う（ステップ２０１）。磁気センサ１６０が外部からの磁界を検出していないと判断された場合、制御部１７０は、流量測定部１２０から、測定された流量に関するデータである流量データを受信する（ステップ２０２）。流量測定部１２０は水路１１０に流れる流量に正比例した回転数を発生する水車とその回転数を計数する計数回路等にて構成されており、水路１１０に流れる流量を測定し流量データに変換し制御部１７０に伝達している。
【００２４】
制御部１７０は、流量測定部１２０から測定された流量に関するデータである流量データを受信し、当該流量データから水路１１０に流れる計量値である積算流量ならびに瞬時流量を算出し、表示部１５０に表示させる（ステップ２０３）。なお、積算流量、瞬時流量はどちらか一方が選択され、表示部１５０に表示される。
【００２５】
表示部１５０に表示される計量値である積算流量、瞬時流量の表示の選択は、外部から操作者が表示切替のための磁石を水道メータ本体１００に接近させることにより行われる。
【００２６】
磁気センサ１６０が外部から印加された磁界を検出したものと判断された場合（ステップ２０１）、制御部１７０は、タイマ部１３０を制御し、当該磁界の継続時間を測定し（ステップ２０４）、予め設定された「磁界検出時間」以上（例えば１０秒等）であるかの判断を行う（ステップ２０５）。測定された当該磁界の継続時間が、予め設定された「磁界検出時間」未満であると判断された場合、制御部１７０は、外部から表示切替のため操作者により磁石が水道メータ本体１００に接近されたと想定し、積算流量を表示していた場合は瞬時流量を、瞬時流量を表示していた場合は積算流量を表示するよう、表示部１５０を制御する。その結果、表示部１５０は、積算流量が表示されていた場合は瞬時流量の表示に、瞬時流量が表示されていた場合は積算流量の表示に切り替えられる（ステップ２０６）。その後、制御部１７０は、流量測定部１２０から流量に関するデータである流量データを受信し（ステップ２０２）、当該流量データから計量値である積算流量ならびに瞬時流量を算出し、前記積算流量、瞬時流量のいずれかを表示部１５０に表示させる（ステップ２０３）。
【００２７】
なお、ここで予め設定された「磁界検出時間」とは、外部の例えば通信機能を持ったハンディターミナル等により無線電波や有線通信にて通信部１４０を介し設定されるものとする。「磁界検出時間」は、例えば１０秒等の時間であり、操作者による表示切替のための磁石により印加された磁界であるか、不正使用目的で印加された磁界であるかを区別するための時間である。
【００２８】
当該磁界の継続時間が、予め設定された「磁界検出時間」以上であると判断された場合（ステップ２０５）、制御部１７０は、外部から不正目的で磁石が、水道メータ本体１００に近づけられたと想定し、当該磁界が継続して印加された時間を表示部１５０に表示する（ステップ２０７）、さらに、制御部１７０は、流量データを予め設定された「事前設定流量値」に置換えて（ステップ２０８）、流量データとなった当該「事前設定流量値」から計量値である積算流量ならびに瞬時流量を算出し、前記積算流量、瞬時流量のいずれかを表示部１５０に表示させる（ステップ２０３）。
【００２９】
ここでステップ２０８における予め設定された「事前設定流量値」とは、外部の例えば通信機能を持ったハンディターミナル等により無線電波や有線通信にて通信部１４０を介し設定されるものとする。「事前設定流量値」は擬似的に設定された毎分等の流量値であり、例えば期待される平均使用流量に相当する流量値や、当該水道メータの最大流量に対応する流量値がこれにあたる。
【００３０】
本実施例を用いれば、水道料金軽減を目的とした、外部磁界を印加する不正使用に対し、対策を講じた水道メータを提供することができる。不正目的で外部から磁石が水道メータ本体１００に近づけられた場合、計量部１２０は磁石を持つ水車の回転を検出しているので、正確に当該水車の回転が検出されなくなる。不正目的と考えられる磁界を検出した場合、例えば期待される平均使用流量に相当する流量を「事前設定流量値」としておけば、「事前設定流量値」に基づき計量値である積算流量、瞬時流量を算出するので、平均使用流量に相当する流量が流れたものと仮定した計量値である積算流量、瞬時流量を計量することができる。また、予め設定された「事前設定流量値」を大きな値としておけば、不正目的で磁石を水道メータ本体に近づけた場合、表示部１５０に表示された計量値である積算流量や瞬時流量が急激にふえることになり、不正使用をやめるよう促す効果を期待することができる。
【００３１】
また、本実施例を用いれば、外部の例えば通信機能を持ったハンディターミナル等により任意の値に「事前設定流量値」を設定することができるので便利である。例えば、不正目的で磁石が水道メータ本体に近づけられる頻度が多い需要家については、当該「事前設定流量値」を大きな値としておけば、計量値である積算流量や瞬時流量が急激にふえることになり、不正使用をやめるよう促す効果を期待することができる。
【００３２】
本実施例を用いれば、外部の例えば通信機能を持ったハンディターミナル等により任意の値に「磁界検出時間」を設定することができるので便利である。例えば、操作者の癖により、外部から表示切替のため磁石が水道メータ本体１００に接近される時間が長い場合には、当該「磁界検出時間」を長く設定しておけば、操作者による表示切替のための磁石により印加された磁界であるか、不正使用目的で印加された磁界であるかの区別が確実に行えるようになり便利である。
【００３３】
本実施例を用いれば、印加された磁界の継続時間が表示部１５０に表示されるため、不正使用が継続された時間を把握することができるので便利である。
【００３４】
本発明を用いれば、水道料金軽減を目的とした、外部磁界を印加する不正使用に対し、対策を講じた水道メータを提供することができる。
【図面の簡単な説明】
【００３５】
【図１】本発明による水道メータの実施例１の構成を示す内部構成図
【図２】本発明による水道メータにかかるプログラムを示すフロー図
【符号の説明】
【００３６】
１００    水道メータ本体
１１０    水路
１２０    計量部
１３０    タイマ部
１４０    通信部
１５０    表示部
１６０    磁気センサ
【図１】
2008224320.tif 000003
【図２】
2008224320.tif 000004